(57)【特許請求の範囲】
【請求項１】
アンテナ、受信部及び復調部を備えた受信ブランチを複数有し、複数の前記受信ブランチを用いたダイバーシチ受信動作を行い、または一つの前記受信ブランチを用いた単一ブランチ受信動作を行うダイバーシチ受信装置であって、
前記複数の受信ブランチ夫々で得られる受信品質の前記複数の受信ブランチ間における差分を検出する受信品質差分検出手段と、
所定時間における前記ダイバーシチ受信動作の時間割合であるダイバーシチ起動率に応じてダイバーシチ動作の起動及び停止を制御するダイバーシチ動作制御手段と、を備え、
前記差分について、第一の閾値と前記第一の閾値よりも大きい第二の閾値とを有し、
前記差分が、前記第一の閾値より大きくかつ前記第二の閾値より小さい場合は、前記ダイバーシチ起動率を０％より大きくかつ１００％より小さい所定の値とするダイバーシチ受信装置。
【請求項２】
請求項１に記載のダイバーシチ受信装置であって、
前記差分が前記第一の閾値よりも小さい場合は、前記ダイバーシチ起動率は１００％であり、
前記差分が前記第二の閾値よりも大きい場合は、前記ダイバーシチ起動率は０％であるダイバーシチ受信装置。
【請求項３】
請求項１又は請求項２に記載のダイバーシチ受信装置であって、
前記複数の受信ブランチ夫々に対して給電を制御する電源制御手段と、
前記複数の受信ブランチ夫々からの復調信号を合成処理する合成処理手段とを更に備え、
前記電源制御手段は、前記ダイバーシチ動作制御手段によるダイバーシチ受信動作時には前記複数の受信ブランチ夫々に対して給電を行い、単一ブランチ受信動作時には前記複数の受信ブランチのうち受信動作しない前記受信ブランチへの給電を停止し、
前記合成処理手段は、前記ダイバーシチ動作制御手段による単一ブランチ受信動作時には合成処理動作を停止するダイバーシチ受信装置。
【請求項４】
請求項１から請求項３のいずれか一項に記載のダイバーシチ受信装置であって、
前記受信品質差分検出手段は、前記複数の受信ブランチ夫々の受信レベル、ＡＧＣレベル、ビットエラーレート、パケットエラーレート、キャリアとノイズの比のうちいずれか１つ以上を用いて受信品質の差分を検出するダイバーシチ受信装置。
【請求項５】
アンテナ、受信部及び復調部を備えた受信ブランチを複数有し、複数の前記受信ブランチを用いたダイバーシチ受信動作を行い、または一つの前記受信ブランチを用いた単一ブランチ受信動作を行うダイバーシチ受信装置のプログラムであって、
前記複数の受信ブランチ夫々で得られる受信品質の前記複数の受信ブランチ間における差分を検出するステップと、
所定時間における前記ダイバーシチ受信動作の時間割合であるダイバーシチ起動率に応じてダイバーシチ動作の起動及び停止を制御するステップと、を備え、
前記差分について、第一の閾値と前記第一の閾値よりも大きい第二の閾値とを有し、
前記差分が、前記第一の閾値より大きくかつ前記第二の閾値より小さい場合は、前記ダイバーシチ起動率を０％より大きくかつ１００％より小さい所定の値とするダイバーシチ受信装置のプログラム。
【発明の詳細な説明】
【技術分野】
【０００１】
本発明は、アンテナ、受信部及び復調部を備えた受信ブランチを複数有するダイバーシチ受信装置に関する。
【背景技術】
【０００２】
従来、ダイバーシチ受信装置として、アンテナ切り替えダイバーシチを使用したものと、合成ダイバーシチを使用したもの（例えば、特許文献１参照）とがある。前者は電力消費が少ないという利点があり、後者は高いダイバーシチ効果が得られるという利点がある。
【０００３】
図１２は、従来のダイバーシチ受信における受信ブランチ間の受信レベル差分に対するダイバーシチ利得を示す図である。この図において、横軸はＣ／Ｎ（Carrier to Noise ratio）で、縦軸はＢＥＲ（Bit Error Rate、誤り率）である。この図では、ダイバーシチ受信した際の受信ブランチ間の受信レベル差が０ｄＢ、４ｄＢ、８ｄＢの場合のＢＥＲ特性と、単一のブランチでの受信時のＢＥＲ特性を示している。特性Ｃｈ１はダイバーシチ受信時における受信ブランチ間レベル差０ｄＢの場合のＢＥＲ特性である。特性Ｃｈ２はダイバーシチ受信時における受信ブランチ間レベル差４ｄＢの場合のＢＥＲ特性である。特性Ｃｈ３はダイバーシチ受信時における受信ブランチ間レベル差８ｄＢの場合のＢＥＲ特性である。特性Ｃｈ４は単一のブランチ受信時におけるＢＥＲ特性である。点ａ，点ｂ，点ｃ，点ｄは、特性Ｃｈ１，Ｃｈ２，Ｃｈ３，Ｃｈ４のＢＥＲにおける感度点のＣ／Ｎ値である。
【０００４】
また、ダイバーシチ利得Ｇ１は、特性Ｃｈ４の単一のブランチ受信時のＢＥＲ特性に対する特性Ｃｈ１のダイバーシチ受信時で、受信ブランチ間レベル差０ｄＢの場合のＢＥＲ特性の感度点におけるダイバーシチ利得（点ｄ−点ａ）である。同様に、ダイバーシチ利得Ｇ２は、特性Ｃｈ４の単一のブランチ受信時のＢＥＲ特性に対する特性Ｃｈ２のダイバーシチ受信時で、受信ブランチ間レベル差４ｄＢの場合のＢＥＲ特性の感度点におけるダイバーシチ利得（点ｄ−点ｂ）である。また同様に、ダイバーシチ利得Ｇ３は、特性Ｃｈ４の単一のブランチ受信時のＢＥＲ特性に対する特性Ｃｈ３のダイバーシチ受信時で、受信ブランチ間レベル差８ｄＢの場合のＢＥＲ特性の感度点におけるダイバーシチ利得（点ｄ−点ｃ）である。
【０００５】
ダイバーシチ受信時のＢＥＲ特性は、受信ブランチ間レベル差が大きくなる程、単一のブランチ受信時のＢＥＲ特性に近づき、ダイバーシチ受信によるダイバーシチ利得は小さくなって行く。すなわち、受信ブランチ間レベル差がある程度大きい場合には単一のブランチ受信時の場合と同等になってしまう。
【０００６】
【特許文献１】特開２０００−１８３７９３号公報
【発明の開示】
【発明が解決しようとする課題】
【０００７】
しかしながら、従来のダイバーシチ受信装置は、ダイバーシチ利得の大小に関係なくダイバーシチ動作を行うため、無駄に電力を消費するという問題がある。すなわち、各受信ブランチのアンテナ利得に差がある場合や、各受信ブランチにおける雑音指数（ＮＦ：Noise Figure）又は利得に差がある場合で、受信ブランチ間の受信品質（受信レベル等）の差分が大きくダイバーシチ効果が得られない状況でもダイバーシチ受信動作を行うため無駄な電力を消費している。特に携帯電話などの小型電子機器においては、小型化されたバッテリを使用することから、無駄な電力を消費していればバッテリの持続時間を長くすることができない。つまり、従来は消費電力の大きい合成ダイバーシチ動作が無駄に行われて、それにより増加した電力が無駄に消費されており、その分、バッテリの持続時間が短かった。
【０００８】
本発明は、係る事情に鑑みてなされたものであり、ダイバーシチ利得の大小に応じてダイバーシチ動作を行うことができるダイバーシチ受信装置を提供することを目的とする。
【課題を解決するための手段】
【０００９】
上記目的は下記構成により達成される。
本発明のダイバーシチ受信装置は、アンテナ、受信部及び復調部を備えた受信ブランチを複数有するダイバーシチ受信装置において、前記複数の受信ブランチ夫々で得られる受信品質の前記複数の受信ブランチ間における差分を検出する受信品質差分検出手段と、前記複数の受信ブランチ間の受信品質の差分に応じて前記複数の受信ブランチを用いたダイバーシチ受信動作と単一ブランチ受信動作の比率を変えてダイバーシチ動作の起動及び停止を制御するダイバーシチ動作制御手段とを備える。
【００１０】
本発明のダイバーシチ受信装置は、前記複数の受信ブランチ夫々に対して給電を制御する電源制御手段と、前記複数の受信ブランチ夫々からの復調信号を合成処理する合成処理手段とを備え、前記電源制御手段は、前記ダイバーシチ動作制御手段によるダイバーシチ受信動作制御時には前記複数の受信ブランチ夫々に対して給電を行い、単一ブランチ受信動作制御時には前記複数の受信ブランチのうち受信動作しない前記受信ブランチへの給電を停止し、前記合成処理手段は、前記ダイバーシチ動作制御手段による単一ブランチ受信動作制御時には合成処理動作を停止する。
【００１１】
本発明のダイバーシチ受信装置は、前記受信品質差分検出手段は、前記複数の受信ブランチ夫々の受信レベル、ＡＧＣレベル、ビットエラーレート、パケットエラーレート、キャリアとノイズの比のうちいずれか１つ以上を用いて受信品質の差分を検出する。
【００１２】
本発明のダイバーシチ受信装置のプログラムは、アンテナ、受信部及び復調部を備えた受信ブランチを複数有するダイバーシチ受信装置のプログラムにおいて、前記複数の受信ブランチ夫々で得られる受信品質の前記複数の受信ブランチ間における差分を検出するステップと、前記複数の受信ブランチ間の受信品質の差分に応じて前記複数の受信ブランチを用いたダイバーシチ受信動作と単一ブランチ受信動作の比率を変えてダイバーシチ動作の起動及び停止を制御するステップとを備え、前記各ステップをコンピュータに実行させる。
【発明の効果】
【００１３】
本発明のダイバーシチ受信装置は、ダイバーシチ効果に適応してダイバーシチ動作の起動と停止を行うので、省電力化が可能となり、携帯電話などの小型化電子機器に適用した場合にバッテリ持続時間を長くできる。
【発明を実施するための最良の形態】
【００１４】
以下、本発明を実施するための好適な実施の形態について、図面を参照して詳細に説明する。
【００１５】
図１は、本発明の実施の形態１に係るダイバーシチ受信装置の概略構成を示すブロック図である。この図において、本実施の形態のダイバーシチ受信装置は、例えば地上デジタル放送を受信するものであり、受信ブランチ１３ａ及び受信ブランチ１３ｂの２つのブランチを備えている。受信ブランチ１３ａは、アンテナ１ａと、アンテナ１ａで捉えられた高周波（ＲＦ）信号を受信し、ベースバンド信号に変換して出力する受信部２ａと、受信部２ａからのベースバンド信号を復調してデジタル信号を出力する復調部３ａとを備えている。受信ブランチ１３ｂは、受信ブランチ１３ａと同様にアンテナ１ｂと、アンテナ１ｂで捉えられた高周波（ＲＦ）信号を受信し、ベースバンド信号に変換して出力する受信部２ｂと、受信部２ｂからのベースバンド信号を復調してデジタル信号を出力する復調部３ｂとを備えている。受信部２ａ，２ｂは、受信信号Ｓ８ａ，Ｓ８ｂを受信品質差分検出部５に入力する。
【００１６】
本実施の形態のダイバーシチ受信装置は、上述した構成の他に、各復調部３ａ，３ｂからのデジタル信号を合成する合成処理部４と、各受信部２ａ，２ｂより得られる受信信号Ｓ８ａ，Ｓ８ｂの差分を検出する受信品質差分検出部５と、受信品質差分検出部５の検出結果に基づいてダイバーシチ動作の起動及び停止判定を行い、その結果に基づく指示信号Ｓ１０を電源制御部７に入力するダイバーシチ動作制御部６と、ダイバーシチ動作制御部６からの指示信号Ｓ１０に従って受信ブランチ１３ａ，１３ｂへの電源供給を制御する電源制御部７とを備えている。
【００１７】
受信品質差分検出部５は、Ａ／Ｄ変換回路（図示略）を備え、受信部２ａ，２ｂからの受信信号Ｓ８ａ，Ｓ８ｂをデジタル変換した後、これらの差分を検出する。すなわち、受信部２ａからの受信信号Ｓ８ａと受信部２ｂからの受信信号Ｓ８ｂをそれぞれデジタル変換した後、差分を求めて差分信号Ｓ９を生成し、ダイバーシチ動作制御部６に入力する。ダイバーシチ動作制御部６は、受信品質差分検出部５からの差分信号Ｓ９に応じて受信ブランチ１３ａ及び１３ｂの受信ブランチを用いたダイバーシチ受信動作と、受信ブランチ１３ａ及び１３ｂのうちいずれか一方を用いた単一ブランチでの受信動作との比率を変えてダイバーシチ動作の起動及び停止を制御するものである。すなわち、ダイバーシチ動作制御部６は、差分信号Ｓ９に基づいて所望のダイバーシチ効果の有無を判定して、ダイバーシチ動作の起動及び停止を指示する指示信号Ｓ１０、Ｓ１２を生成する。
【００１８】
すなわち、ダイバーシチ動作制御部６は、所望のダイバーシチ効果の有無を判定する所定値Ｘと差分信号Ｓ９とを比較し、差分信号Ｓ９が所定値Ｘより大きい場合には所望のダイバーシチ効果が得られないと判定して、ダイバーシチ動作を停止する制御を行う。すなわち、ダイバーシチ動作の停止を指示する指示信号Ｓ１０、Ｓ１２を生成して電源制御部７及び合成処理部４に入力する。これに対して、差分信号Ｓ９が所定値Ｘ以下の場合には所望のダイバーシチ効果が得られると判定して、ダイバーシチ動作を停止しない制御を行う。すなわち、ダイバーシチ動作の起動を指示する指示信号Ｓ１０、Ｓ１２を生成して電源制御部７及び合成処理部４に入力する。
【００１９】
所定値Ｘに対する差分信号Ｓ９の判定は、予め設定された所定時間及び所定回数が行われる。所定値Ｘ、所定時間、所定回数は図示していないＣＰＵ（Central Processing Unit）やＲＯＭ（Read Only Memory），ＲＡＭ（Random Access Memory）にて設定される。
【００２０】
合成処理部４は、ダイバーシチ動作制御部６からの指示信号Ｓ１２がダイバーシチ動作を停止しない指示の場合には、復調部３ａ，３ｂからのデジタル信号を合成した復調信号を出力する。一方、指示信号Ｓ１２がダイバーシチ動作を停止する指示の場合には、復調部３ａ，３ｂからのデジタル信号を合成せずに、使用する方の信号を復調信号として出力する。電源制御部７は、ダイバーシチ動作制御部６からの指示信号Ｓ１０がダイバーシチ動作を停止しない指示の場合には、受信ブランチ１３ａ，１３ｂに給電を行うために、給電信号Ｓ１１ａ，Ｓ１１ｂを入力する。指示信号Ｓ１０がダイバーシチ動作を停止する指示の場合には、受信ブランチ１３ａ，１３ｂのうち、使用する受信ブランチに対しては給電を行い、使用しない受信ブランチに対しては給電を停止する。例えば、受信ブランチ１３ａを使用する場合、受信ブランチ１３ａにのみ給電信号Ｓ１１ａを入力する。なお、逆の場合は、受信ブランチ１３ｂにのみ給電信号Ｓ１１ｂを入力する。
【００２１】
図２及び図３は、本実施の形態に係るダイバーシチ受信装置の各受信ブランチ１３ａ，１３ｂそれぞれの受信信号のレベル変動例を示す図である。図２及び図３において、受信レベルＡは、受信部２ａのタイミングｔ１における受信信号Ｓ８ａの信号レベルである。受信レベルＢは、受信部２ｂのタイミングｔ１における受信信号Ｓ８ｂの信号レベルである。
【００２２】
図２において、受信レベルＡと受信レベルＢの差分Ｙ１が受信ブランチ１３ａと受信ブランチ１３ｂの受信品質の差分を示す。差分Ｙ１は、差分信号Ｓ９としてダイバーシチ動作制御部６に入力されて、所望のダイバーシチ効果の有無を判定する所定値Ｘと比較される。この場合、差分信号Ｓ９が所定値Ｘより大きい場合であり、受信ブランチ１３ａの受信品質と受信ブランチ１３ｂの受信品質の差分が大きく所望のダイバーシチ効果が得られない状態である。図３において、受信レベルＡと受信レベルＢの差分Ｙ２は受信ブランチ１３ａと受信ブランチ１３ｂの受信品質の差分を示す。差分Ｙ２は、差分信号Ｓ９としてダイバーシチ動作制御部６に入力されて、所望のダイバーシチ効果の有無を判定する所定値Ｘと比較される。この場合、差分信号Ｓ９が所定値Ｘ以下の場合であり、受信ブランチ１３ａの受信品質と受信ブランチ１３ｂの受信品質の差分が小さく所望のダイバーシチ効果が得られる状態である。
【００２３】
図４は、本実施の形態に係るダイバーシチ受信装置におけるダイバーシチ動作の起動停止制御を説明するためのフロー図である。図４において、ステップＳ１〜Ｓ８はダイバーシチ動作の起動停止制御のステップを示す。まずダイバーシチ動作開始直後又はダイバーシチ動作中における割り込み処理として、ダイバーシチ動作制御部６がダイバーシチ起動停止制御を開始する（ステップＳ１）。ダイバーシチ起動停止制御開始後、ダイバーシチ動作制御部６が受信ブランチ１３ａ及び受信ブランチ１３ｂがダイバーシチ動作中か否かを判定する（ステップＳ２）。ダイバーシチ動作中でなければ本処理を終了する。これに対し、ダイバーシチ動作中であれば、受信品質差分検出部５が各受信ブランチ１３ａ，１３ｂの受信品質（図２及び図３における受信レベルＡ及びＢ）を検出する（ステップＳ３）。
【００２４】
次いで、受信品質の差分の検出を所定時間、所定回数を行ったかどうかを判定する（ステップＳ４）。すなわち、ダイバーシチ動作制御部６が受信品質の差分（図２及び図３の差分Ｙ１、Ｙ２）の検出を所定時間、所定回数行う。例えば、所定時間１秒、所定回数１回における平均値とする。所定時間、所定回数だけ受信品質の差分の検出を行っていない場合は該検出を行うまでこの判定処理を繰り返し、所定時間、所定回数だけ受信品質の差分の検出を行った場合はステップＳ５へ移行する。ステップＳ５では、受信品質の差分（図２及び図３の差分Ｙ１、Ｙ２）と所望のダイバーシチ効果の有無を判定する所定値Ｘとを比較する。ここで、図２のように差分Ｙ１が所定値Ｘより大きい場合は判定ＮＯとなりステップＳ７へ移行する。これに対し、図３のように差分Ｙ２が所定値Ｘ以下の場合は判定ＹＥＳとなりステップＳ６へ移行する。ステップＳ６では、受信ブランチ１３ａ，１３ｂのダイバーシチ動作を継続する。一方、ステップＳ７では、ダイバーシチ動作を停止する。すなわち、受信ブランチ１３ａ，１３ｂのいずれか一方を、使用しない受信ブランチとして電源制御部７からの給電を停止し、また合成処理動作を停止する。ステップＳ８では、ダイバーシチ起動停止制御を終了する。なお、このダイバーシチ起動停止制御は割り込み処理として発生する。
【００２５】
このように本実施の形態に係るダイバーシチ受信装置によれば、受信ブランチ１３ａの受信品質である受信レベルＡと受信ブランチ１３ｂの受信品質である受信レベルＢの差分に応じて所望のダイバーシチ効果が得られるか又は得られないかを判定して、所望のダイバーシチ効果が得られないと判定した場合はダイバーシチ動作を停止して、使用しない方の受信ブランチへの給電を停止すると共に合成処理動作を停止する。これにより、省電力化が図れ、携帯電話などの小型化電子機器に適用した場合にバッテリ持続時間を長くできる。
【００２６】
図５は、本発明の実施の形態２に係るダイバーシチ受信装置の概略構成を示すブロック図である。図５において、本実施の形態のダイバーシチ受信装置は、上述した実施の形態１のダイバーシチ受信装置と同様に受信ブランチ１３ａ，１３ｂの２つのブランチを有するものであり、受信品質として誤り率（ＢＥＲ）を用いてダイバーシチ動作を制御するようにしたものである。なお、図５において上述した図１と同一の符号を付すものは同一の動作を行うため、その説明を省略する。受信品質差分検出部５は、Ａ／Ｄ変換回路（図示略）を備えており、受信ブランチ１３ａ，１３ｂの受信品質の差分を検出する。すなわち、復調部３ａ，３ｂから誤り率Ｓ１３ａ，Ｓ１３ｂが入力されて、これらの差分を検出して、差分信号Ｓ１４をダイバーシチ動作制御部６に入力する。
【００２７】
図６及び図７は、本実施の形態に係るダイバーシチ受信装置の受信ブランチ１３ａ，１３ｂにおける誤り率（ＢＥＲ）の変動例を示す図である。図６及び図７において、誤り率Ａは、復調部３ａのタイミングｔ１における誤り率Ｓ１３ａである。誤り率Ｂは、復調部３ｂのタイミングｔ１における誤り率Ｓ１３ｂである。特に、図６においては、誤り率Ａと誤り率Ｂの差分Ｙ１が、受信ブランチ１３ａと受信ブランチ１３ｂとの間の受信品質の差分を示す。差分Ｙ１は、差分信号Ｓ１４としてダイバーシチ動作制御部６に入力されて、所望のダイバーシチ効果の有無を判定する所定値Ｘと比較される。この場合は、差分信号Ｓ１４が所定値Ｘより大きい場合であり、受信ブランチ１３ａの受信品質と受信ブランチ１３ｂの受信品質の差分が大きく、所望のダイバーシチ効果が得られない状態を示す。
【００２８】
同様に、図７においては、誤り率Ａと誤り率Ｂの差分Ｙ２が、受信ブランチ１３ａと受信ブランチ１３ｂとの間の受信品質の差分を示す。差分Ｙ２は、差分信号Ｓ１４としてダイバーシチ動作制御部６に入力されて、所望のダイバーシチ効果の有無を判定する所定値Ｘと比較される。この場合は、差分信号Ｓ１４が所定値Ｘ以下の場合であり、受信ブランチ１３ａの受信品質と受信ブランチ１３ｂの受信品質の差分が小さく、所望のダイバーシチ効果が得られる状態を示す。
【００２９】
本実施の形態に係るダイバーシチ受信装置におけるダイバーシチ動作の起動停止制御は、上述した実施の形態１に係るダイバーシチ受信装置におけるダイバーシチ動作の起動停止制御と略同様であるので、異なる部分についてのみ説明する（図４参照）。
【００３０】
まず受信品質差分検出部５が各受信ブランチ１３ａ，１３ｂの受信品質（図６及び図７における誤り率Ａ及びＢ）を検出する（ステップＳ３）。ダイバーシチ動作制御部６が受信品質の差分（図６及び図７の差分Ｙ１、Ｙ２）の検出を所定時間、所定回数行ったかどうかを判定する（ステップＳ４）。例えば、所定時間１秒、所定回数１回における平均値とする。判定ＮＯの場合は判定ＹＥＳになるまで繰り返し、判定ＹＥＳになるとステップＳ５へ移行する。ステップＳ５では、受信品質の差分（図６及び図７の差分Ｙ１、Ｙ２）と所望のダイバーシチ効果の有無を判定する所定値Ｘとを比較し、図６のように差分Ｙ１が所定値Ｘより大きい場合は判定ＮＯとなりステップＳ７へ移行する。これに対し、図７のように差分Ｙ２が所定値Ｘ以下の場合は判定ＹＥＳとなり、ステップＳ６へ移行する。
【００３１】
このように本実施の形態に係るダイバーシチ受信装置によれば、受信ブランチ１３ａの受信品質である誤り率（ＢＥＲ）Ａと受信ブランチ１３ｂの受信品質である誤り率（ＢＥＲ）Ｂの差分に応じて所望のダイバーシチ効果が得られるか又は得られないかを判定して、所望のダイバーシチ効果が得られないと判定した場合にはダイバーシチ動作を停止して、使用しない方の受信ブランチへの給電を停止すると共に合成処理動作を停止する。これにより、省電力化が図れ、携帯電話などの小型化電子機器に適用した場合にバッテリ持続時間を長くできる。
【００３２】
図８は、本発明の実施の形態３に係るダイバーシチ受信装置におけるダイバーシチ動作の起動停止制御を説明するためのフロー図である。図８において、ステップＳ１〜Ｓ８はダイバーシチ動作の起動停止制御のステップを示し、図８に示す図４と同一の符号を付すステップは同一の動作を行うため、その説明を省略する。
【００３３】
図８において、ステップＳ５において、例えば所定値Ｘを２ｄＢと設定して、受信レベルＡとＢの差分が所定値Ｘ＝２ｄＢ以下の場合は判定ＹＥＳとなりステップＳ６へ移行する。ステップＳ６では、受信ブランチ１３ａ，１３ｂのダイバーシチ動作を継続し、起動率１００％で動作させる。ここで、起動率はある所定時間におけるダイバーシチ動作が起動している割合を示すものであり、起動率１００％は所定時間においてダイバーシチ動作が継続して動作していることを示す。また、起動率０％はダイバーシチ動作が継続して停止していることを示すものである。
【００３４】
一方、受信レベルＡとＢの差分が所定値Ｘ＝２ｄＢより大きい場合は判定ＮＯとなりステップＳ９へ移行する。ステップＳ９では、例えば所定値Ｗを、所定値Ｘ＜Ｗとなる４ｄＢと設定して、受信品質の差分（図２の差分Ｙ１及び図３の差分Ｙ２）と所望のダイバーシチ効果の有無を判定する所定値Ｗとを比較する。図２に示すように差分Ｙ１が所定値Ｗ＝４ｄＢより大きい場合は判定ＮＯとなり、ステップＳ７へ移行する。一方、図３に示すように差分Ｙ２が所定値Ｗ＝４ｄＢ以下の場合は判定ＹＥＳとなり、ステップＳ１０へ移行する。
【００３５】
ステップＳ１０では、受信ブランチ１３ａ，１３ｂのダイバーシチ動作の起動率をＫ％でダイバーシチ動作させる。ここで、起動率Ｋ％は、０％＜Ｋ＜１００％となり、例えば、起動率Ｋ＝９０％とした場合、ある所定時間の９０％はダイバーシチ動作が起動して、
１０％はダイバーシチ動作が停止している状態である。
【００３６】
上述した実施の形態１では、所望のダイバーシチ効果の有無を判定するのに１つの所定値Ｘを用いてダイバーシチ起動もしくはダイバーシチ停止を判定処理するようにしたが、本実施の形態では、所望のダイバーシチ効果の有無を判定するのに、複数の所定値Ｘ及びＷを設けて、受信ブランチ１３ａ、１３ｂの受信品質の差分に応じて、ダイバーシチ受信動作と単一ブランチ受信動作の比率を変えてダイバーシチ動作の起動及び停止を制御するようにしている。
【００３７】
このように本実施の形態に係るダイバーシチ受信装置によれば、受信ブランチ１３ａ，１３ｂの受信品質である受信レベルＡ，Ｂの差分に応じて所望のダイバーシチ効果が得られるか又は得られないかを判定して、所望のダイバーシチ効果が得られないと判定した場合にはダイバーシチ動作の起動率を変え、単一ブランチでの受信動作の際には、使用しない方の受信ブランチへの給電を停止すると共に合成処理動作を停止する。したがって、ダイバーシチ効果に適応してダイバーシチ動作を停止することから、省電力化が図れ、携帯電話などの小型化電子機器に適用した場合にバッテリ持続時間を長くできる。
【００３８】
図９は、本発明の実施の形態４に係るダイバーシチ受信装置におけるダイバーシチ動作の起動停止制御を説明するためのフロー図である。図９は、図４にステップＳ１１を追加した点が相違し、図４と同一の符号を付すものは同一の動作を行うので、その説明を省略する。
【００３９】
図９において、ステップＳ１１は、ステップＳ７のダイバーシチ動作を停止後の動作を示しており、所定時間、例えば１秒間の待機後にダイバーシチ動作を開始してステップＳ３へ移行する。この動作によって、ステップＳ７におけるダイバーシチ動作の停止後に再びダイバーシチ動作に復帰するための判定を行う。
【００４０】
このように本実施の形態に係るダイバーシチ受信装置によれば、所望のダイバーシチ効果が得られないと判定してダイバーシチ動作を停止した場合に、所定時間の待機後、再度ダイバーシチ動作を開始するので、装置の電源をオフにしない限り、継続してダイバーシチ動作を行うことができる。
【００４１】
図１０は、本発明の実施の形態５に係るダイバーシチ受信装置におけるダイバーシチ動作の起動停止制御を説明するためのフロー図である。図１０は、図４にステップＳ１２及びＳ１３を追加した点が相違し、図４と同一の符号を付すものは同一の動作を行うので、その説明を省略する。
【００４２】
図１０において、ステップＳ１２は、ステップＳ７のダイバーシチ動作を停止後の動作であり、所定時間、例えば１秒間の待機後に単一ブランチの受信品質、例えば誤り率ＢＥＲを検出してステップＳ１３へ移行する。ステップＳ１３では、検出した誤り率ＢＥＲが所定値Ｒ以下である場合にステップＳ３へ移行し、検出した誤り率ＢＥＲが所定値Ｒより大きい場合にはステップＳ１２へ戻る。この動作によって、ステップＳ７におけるダイバーシチ動作の停止後に単一ブランチの受信品質に応じて再びダイバーシチ動作に復帰するための判定を行う。
【００４３】
このように本実施の形態に係るダイバーシチ受信装置によれば、所望のダイバーシチ効果が得られないと判定してダイバーシチ動作を停止した場合に、所定時間の待機後、単一ブランチの受信品質である誤り率を検出し、検出した誤り率が所定値Ｒ以下であれば、再度ダイバーシチ動作を開始するので、装置の電源をオフにしない限り、継続してダイバーシチ動作を行うことができる。
【００４４】
図１１は、本発明の実施の形態６に係るダイバーシチ受信装置におけるダイバーシチ動作の起動停止制御を説明するためのフロー図である。図１１は、図８にステップＳ１４を追加した点が相違し、図８と同一の符号を付すものは同一の動作を行うので、その説明を省略する。
【００４５】
図１１において、ステップＳ１４は、ステップＳ７のダイバーシチ動作を停止後の動作もしくはステップＳ１０の起動率Ｋ％でのダイバーシチ動作を継続後の動作であり、所定時間、例えば１秒間の待機後にダイバーシチ動作を開始してステップＳ３へ移行する。この動作によって、ステップＳ７又はステップＳ１０の処理後に再びダイバーシチ動作に復帰するための判定を行う。
【００４６】
このように本実施の形態に係るダイバーシチ受信装置によれば、所望のダイバーシチ効果が得られないと判定してダイバーシチ動作を停止した場合又は起動率Ｋ％でのダイバーシチ動作を行った場合に、所定時間の待機後、再度ダイバーシチ動作を開始するので、装置の電源をオフにしない限り、継続してダイバーシチ動作を行うことができる。
【００４７】
なお、上記実施の形態１，３，４，６においては、受信ブランチ１３ａ，１３ｂの受信品質の差分を受信部２ａ，２ｂにおける受信レベルＡ，Ｂから検出し、上記実施の形態２，５においては、受信ブランチ１３ａ，１３ｂの受信品質の差分を受信部２ａ，２ｂにおける誤り率ＢＥＲ Ａ，Ｂから検出するようにしたが、受信部２ａ，２ｂにおけるＡＧＣ（Automatic Gain Control）レベル、ＰＥＲ（パケットエラーレート）又はＣ／Ｎ（キャリアとノイズの比）から検出しても同様の効果が得られる。この場合、受信レベル、ＡＧＣレベル、ＢＥＲ、ＰＥＲ、Ｃ／Ｎのうち、任意の２つ以上を組み合わせても良い。
【００４８】
また、上記実施の形態１〜６においては、アンテナ１ａ，１ｂのアンテナ利得や指向性などのアンテナの性能に差がある場合についての説明を行わなかったが、この場合も受信ブランチ間の受信品質に差分が生ずることから、上記同様の効果が得られる。
【００４９】
また、上記実施の形態１〜６においては、受信品質の差分の検出を所定時間１秒、所定回数１回の平均値としたが、例えば所定時間０．１秒、所定回数３回の間欠動作による平均値やピーク値を検出しても同様な効果が得られる。
【００５０】
本発明を詳細にまた特定の実施態様を参照して説明したが、本発明の精神と範囲を逸脱することなく様々な変更や修正を加えることができることは当業者にとって明らかである。
【産業上の利用可能性】
【００５１】
本発明は、省電力化が図れてバッテリ持続時間を長くできるという効果を有し、複数の受信ブランチを用いたダイバーシチ受信装置、特に地上デジタル放送を受信可能な携帯電話やカーナビゲーションなどへの適用が可能である。
【図面の簡単な説明】
【００５２】
【図１】本発明の実施の形態１に係るダイバーシチ受信装置の概略構成を示すブロック図
【図２】本発明の実施の形態１に係るダイバーシチ受信装置の各受信ブランチにおける受信レベル変動例を示す図
【図３】本発明の実施の形態１に係るダイバーシチ受信装置の各受信ブランチにおける受信レベル変動例を示す図
【図４】本発明の実施の形態１に係るダイバーシチ受信装置におけるダイバーシチ動作の起動停止制御を説明するためのフロー図
【図５】本発明の実施の形態２に係るダイバーシチ受信装置の概略構成を示すブロック図
【図６】本発明の実施の形態２に係るダイバーシチ受信装置の各受信ブランチにおける誤り率ＢＥＲの変動例を示す図
【図７】本発明の実施の形態２に係るダイバーシチ受信装置の各受信ブランチにおける誤り率ＢＥＲの変動例を示す図
【図８】本発明の実施の形態３に係るダイバーシチ受信装置におけるダイバーシチ動作の起動停止制御を説明するためのフロー図
【図９】本発明の実施の形態４に係るダイバーシチ受信装置におけるダイバーシチ動作の起動停止制御を説明するためのフロー図
【図１０】本発明の実施の形態５に係るダイバーシチ受信装置におけるダイバーシチ動作の起動停止制御を説明するためのフロー図
【図１１】本発明の実施の形態６に係るダイバーシチ受信装置におけるダイバーシチ動作の起動停止制御を説明するためのフロー図
【図１２】従来のダイバーシチ受信における受信ブランチ間の受信レベル差分に対するダイバーシチ利得を示す図
【符号の説明】
【００５３】
１ａ，１ｂ  アンテナ
２ａ，２ｂ  受信部
３ａ，３ｂ  復調部
４  合成処理部
５  受信品質差分検出部
６  ダイバーシチ動作制御部
７  電源制御部
１３ａ，１３ｂ  受信ブランチ
【図１】
0004772862.tif 000002
【図２】
0004772862.tif 000003
【図３】
0004772862.tif 000004
【図４】
0004772862.tif 000005
【図５】
0004772862.tif 000006
【図６】
0004772862.tif 000007
【図７】
0004772862.tif 000008
【図８】
0004772862.tif 000009
【図９】
0004772862.tif 000010
【図１０】
0004772862.tif 000011
【図１１】
0004772862.tif 000012
【図１２】
0004772862.tif 000013